(57)【特許請求の範囲】
【請求項１】
複数の表示要素に接続可能な複数のコモン端子及び複数のセグメント端子と、前記コモン端子を駆動する第１駆動手段と、表示信号に基づいて前記セグメント端子を駆動する第２駆動手段とを有し、前記第１駆動手段によって所定周期の走査信号で前記複数のコモン端子を駆動すると共に前記第２駆動手段によって表示信号に対応し前記走査信号に同期するセグメント信号で前記複数のセグメント端子を駆動することにより、前記表示要素で前記表示信号に対応する表示を行う表示装置において、
前記第１駆動手段は、前記複数のコモン端子を予め決められた複数のコモン端子ブロックに分割して駆動すると共に当該分割数が可変であり、
前記第２駆動手段は、特定の分割数において前記予め決められた複数のうちの少なくとも１つの前記コモン端子ブロックを構成する前記コモン端子が接続する表示要素に接続される前記セグメント端子をセグメント端子ブロックとして駆動でき、
前記特定の分割数において前記予め決められた複数のうちの少なくとも１つのコモン端子ブロックの前記コモン端子と前記セグメント端子ブロックの前記セグメント端子とが接続される表示要素で構成される表示ブロックを備え、
前記特定の分割数において前記予め決められた複数のうちの少なくとも１つのコモン端子ブロックは、前記表示ブロックを構成する表示要素以外の表示要素には接続されず、
前記セグメント端子ブロックは、前記表示ブロックを構成する表示要素以外の表示要素には接続されず、
前記第１駆動手段と前記第２駆動手段とは、前記表示ブロックを表示状態と非表示状態とに駆動可能であり、前記表示ブロックに接続される前記特定の分割数において前記予め決められた複数のうちの少なくとも１つのコモン端子ブロック及び前記セグメント端子ブロックを前記非表示状態において接地電位とする
ことを特徴とする電子時計の表示に用いられる表示装置。
【請求項２】
前記第１駆動手段は、前記複数のコモン端子を所定数の前記コモン端子ブロックに分割して駆動するように切り替える切替手段を備えて成ることを特徴とする請求項１記載の表示装置。
【請求項３】
前記各コモン端子と各セグメント端子は各々独立に駆動可能であり、
前記第１、第２駆動手段は、前記表示要素が点灯状態又はオフ状態をとるように駆動することを特徴とする請求項１又は２記載の表示装置。
【請求項４】
前記表示要素は、１つのセグメント端子と複数の前記コモン端子とで駆動されることを特徴とする請求項１乃至３のいずれか一に記載の表示装置。
【請求項５】
前記複数のコモン端子ブロック間の接続を遮断するコモン遮断スイッチを備えることを特徴とする請求項１乃至４のいずれか一に記載の表示装置。
【請求項６】
表示手段を有する電子機器において、
前記表示手段として請求項１乃至５のいずれか一に記載の表示装置を用いて成ることを特徴とする電子機器。
【請求項７】
時間を計時する計時手段を有し、
前記表示手段は、少なくとも前記計時手段で計時した時刻を表示することを特徴とする請求項６記載の電子機器。
【発明の詳細な説明】
【技術分野】
【０００１】
本発明は、表示装置及び前記表示装置を用いた電子機器に関する。
【背景技術】
【０００２】
従来から、電子時計を初めとして様々な機器に表示装置が利用されている。
特許文献１記載の携帯型電子機器では、自発光型(電流駆動型)表示パネルにおいて、電池電圧が低下すると表示フォントのドット数を減らして(通常は５＊１０ドットであるが、電池電圧低下時には５＊５ドット）低消費電力化する。
ＥＬ（Electro Luminescence）のような自発光型表示パネルにおいて、このようにして低消費電力化が可能になるが、反射型表示パネルの液晶表示装置（ＬＣＤ）の場合、非表示のセルに対しても消灯信号を出力しているため、低消費電力化に限界がある。
例えば、ＬＣＤ表示部を有する従来の電子時計においては、図１８に示すように、電池残容量が少なくなった時に、ユーザに充電を促すチャージマークのみを点滅させる場合においても、非表示のセルに対しても消灯信号を出力しているため、低消費化に限界がある。
【０００３】
図１８は方位表示機能を有する電子時計のＬＣＤ表示部を示す図で、表示要素は３つの表示ブロックＡ、Ｂ、Ｃに分割されている。表示ブロックＡは電池残量を表示するマーク類表示ブロック、表示ブロックＢは時刻等を表示する時刻類表示ブロック、表示ブロックＣは方位を表示する方位表示ブロックである。所定周期（換言すれば所定デューティ比）で駆動されるコモン端子ＣＯＭ０〜ＣＯＭ７は、各表示ブロックＡ〜Ｃの表示要素に接続されている。また、セグメント端子ＳＥＧ００〜ＳＥＧ０２は表示ブロックＡの表示要素に接続され、セグメント端子ＳＥＧ０２〜ＳＥＧ５１は表示ブロックＢの表示要素に接続され、セグメント端子ＳＥＧ５２〜ＳＥＧ６３は表示ブロックＣの表示要素に接続されている。
【０００４】
図１８では、表示ブロックＡ、Ｂが点灯状態、表示ブロックＣは消灯状態に駆動される。この場合、全てのコモン端子ＣＯＭ０〜ＣＯＭ７が所定周期で駆動される。一方、表示ブロックＡ、Ｂのセグメント端子ＳＥＧ００〜ＳＥＧ５１は点灯状態に駆動される。表示ブロックＣのセグメント端子ＳＥＧ５２〜ＳＥＧ６３は消灯信号によって消灯状態に駆動される。これにより、表示ブロックＡ、Ｂの表示要素は点灯状態となり又、表示ブロックＣの表示要素は消灯状態になるが、表示ブロックＣのセグメント端子ＳＥＧ５２〜ＳＥＧ６３は消灯信号によって駆動されるため、省電力化が困難である。
【０００５】
特許文献２に記載された多層液晶時計では、各々独立したＬＣＤで構成された、常時表示する時分秒表示を外側に配置し、必要に応じて呼び出すカレンダー表示を内側に配置して、通常は時分秒表示により普通の時計と同様の視認性を有するように構成している。
しかしながら、非表示のセルに対しても消灯信号を出力しているため、低消費化に限界がある。
同様に、時刻表示用ＬＣＤと方位表示用ＬＣＤを２層に重ねた電子方位計付腕時計や表示領域周囲に方位表示セルを配置した電子方位計付腕時計（特許文献３）では、ＬＣＤ駆動用信号が分離できないために、方位表示を行わない期間においても、方位表示用ＬＣＤパネルに対して消灯信号を出力しているため、低消費化に限界がある。
【０００６】
また、特許文献４記載の電波受信装置では、液晶表示パネルの領域を２つに分けて、第一の表示領域の下にアンテナを配置して、標準電波受信時に第一の表示領域の表示駆動を停止させて、アンテナがＬＣＤからのノイズの影響を防ぐように構成している。第一の表示駆動回路部２０７と第二の表示駆動回路部２０８を制御することで第一の表示領域と第二の表示領域を個別に制御可能となっている。
【０００７】
しかしながら、第一の表示領域の表示駆動を停止させて低消費化することが可能であるが、第一の表示領域と第二の表示領域のセル数が固定となってしまい、表示仕様が異なる場合は機種毎に専用のＬＳＩ（Large Scale Integration Circuit）を開発する必要があるという問題がある。
【先行技術文献】
【特許文献】
【０００８】
【特許文献１】特開２００４−１７８０２９号公報
【特許文献２】特開昭５４−４５１６９号公報
【特許文献３】特開平３−２６２９１８号公報
【特許文献４】特開２００９−１４５２１０号公報
【発明の概要】
【発明が解決しようとする課題】
【０００９】
本発明は、前記問題点に鑑み成されたもので、消費電力を抑制すると共に複数の異なる仕様の表示に対応できるようにすることを課題としている。
【課題を解決するための手段】
【００１０】
本発明の第１の視点によれば、複数の表示要素に接続された複数のコモン端子及び複数のセグメント端子と、前記コモン端子を駆動する第１駆動手段と、表示信号に基づいて前記セグメント端子を駆動する第２駆動手段とを有し、前記第１駆動手段によって所定周期の走査信号で前記複数のコモン端子を駆動すると共に前記第２駆動手段によって表示信号に対応し前記走査信号に同期するセグメント信号で前記複数のセグメント端子を駆動することにより、前記表示要素で前記表示信号に対応する表示を行う表示装置において、
前記各コモン端子と各セグメント端子は各々独立に駆動可能であり、前記第１駆動手段は、前記複数のコモン端子を複数のコモン端子ブロックに分割して駆動すると共に当該分割数が可変であることを特徴とする表示装置が提供される。
また、本発明の第２の視点によれば、表示手段を有する電子機器において、前記表示手段として前記表示装置を用いて成ることを特徴とする電子機器が提供される。
【発明の効果】
【００１１】
本発明に係る表示装置によれば、消費電力を抑制すると共に複数の異なる仕様の表示に対応することが可能になる。
また、本発明に係る電子機器によれば、消費電力を抑制すると共に複数の異なる仕様の表示に対応することが可能になる。
【図面の簡単な説明】
【００１２】
【図１】本発明の第１の実施形態のブロック図である。
【図２】本発明の第１の実施形態の部分詳細ブロック図である。
【図３】本発明の第１の実施形態の表示態様を示す図である。
【図４】本発明の第１の実施形態の表示態様を示す図である。
【図５】本発明の第１の実施形態の表示態様を示す図である。
【図６】本発明の第１の実施形態を説明する表である。
【図７】本発明の第１の実施形態を説明する表である。
【図８】本発明の第１の実施形態の動作を説明する説明図である。
【図９】本発明の第１の実施形態の動作を説明する説明図である。
【図１０】本発明の第１の実施形態の動作を説明する説明図である。
【図１１】本発明の第２の実施形態の構成を示す図である。
【図１２】本発明の第２の実施形態の構成を示す図である。
【図１３】本発明の第２の実施形態の表示態様を示す図である。
【図１４】本発明の第３の実施形態の表示態様を示す図である。
【図１５】本発明の第３の実施形態の動作を説明する説明図である。
【図１６】本発明の第４の実施形態の形態を説明する説明図である。
【図１７】本発明の第４の実施形態の形態を説明する表である。
【図１８】従来の表示装置の動作を説明する説明図である。
【発明を実施するための形態】
【００１３】
（第１の実施形態）
以下、図面を用いて本発明の第１の実施形態に係る表示装置及び前記表示装置を用いた電子機器について説明する。尚、各図において同一部分には同一符号を付している。
図１は、本発明の第１の実施形態に係る電子機器のブロック図で、電子時計の例を示している。
図１において、電子時計は、所定周波数の信号を発生する発振回路１０１、発振回路１０１で発生した信号を分周して計時の基準となる時計信号を発生する分周回路１０２、前記時計信号に基づく計時動作や電子時計を構成する各電子回路要素の制御等を行う制御回路１０８を備えている。制御回路１０８は中央処理装置（ＣＰＵ）によって構成されている。
【００１４】
また、電子時計は、ユーザが操作可能でモード変更操作等を行う入力手段１０３、制御回路１０８を構成するＣＰＵが実行するプログラムを予め記憶した読み出し専用メモリ（ＲＯＭ）１０４、測定した時間等のデータを記憶するランダムアクセスメモリ（ＲＡＭ）１０５、電子時計の電源である電池１０６、電池１０６の電圧を検出する電圧検出回路１０７を備えている。
【００１５】
また、電子時計は、表示駆動回路１０９、液晶表示装置（ＬＣＤ）によって構成された表示部１１０を備えている。表示部１１０は、時刻等の各種情報を表示するための画素である複数の表示要素１１４を備えており、複数の表示要素１１４は複数（図１では３つ）の表示ブロック１１１、１１２、１１３に分割されている。
各表示要素は、セグメント端子ＳＥＧとコモン端子ＣＯＭにマトリクス状に接続されている。各コモン端子ＣＯＭ及び各セグメント端子ＳＥＧは独立に駆動が可能なように構成されている。
【００１６】
表示駆動回路１０９は、制御回路１０８の制御に応答して、各表示ブロック１１１〜１１３毎に各コモン端子ＣＯＭを所定周期（換言すれば所定デューティ比）所定順序で走査駆動すると共に、各コモン端子ＣＯＭの走査駆動に同期して、制御回路１０８から供給される表示信号に基づいてセグメント端子ＳＥＧの駆動を行う。このようにして表示駆動回路１０９は制御回路１０８からの表示信号に基づいて表示部１１０を駆動し、表示信号に対応する表示が、表示部１１０の表示要素１１４によって各ブロック単位の表示が行われる。
【００１７】
図２は、表示駆動回路１０９の構成を示す詳細ブロック図である。
図２において、表示駆動回路１０９は、コモン端子ＣＯＭ及びセグメント端子ＳＥＧに供給する所定のバイアス電圧を発生するＬＣＤバイアス電圧生成回路２０１、制御回路１０８からの表示信号に対応する表示データをラッチする表示データラッチ回路２０２、前記表示データに対応するセグメント端子ＳＥＧ駆動用のセグメント信号を生成するセグメント信号生成回路２０３、セグメント端子ＳＥＧに対する駆動信号の供給を制御するセグメント信号出力制御回路２０４、セグメント信号出力制御回路２０４によって開閉制御される複数のセグメント駆動スイッチ２１１を有し前記表示データに対応するセグメント信号を各セグメント端子ＳＥＧに供給するセグメントスイッチ回路２０５を備えている。コモン端子ＣＯＭの走査タイミングに同期するタイミングで、各セグメント端子ＳＥＧにセグメント信号が供給される。
【００１８】
また、表示駆動回路１０９は、各コモン端子ＣＯＭを所定周期（換言すれば所定デューティ比）、所定順序で走査駆動するためのコモン信号を生成するコモン信号生成回路２０６、コモン端子ＣＯＭに対する駆動信号の供給を制御するコモン信号出力制御回路２０７、コモン信号出力制御回路２０７によって開閉制御される複数のコモン駆動スイッチ２１２を有し所定周期でコモン信号を各コモン端子ＣＯＭに供給するコモンスイッチ回路２０８を備えている。
【００１９】
また、表示駆動回路１０９は、コモン端子ＣＯＭの分割数（コモン端子分割数）を切り替えるコモン信号切替制御回路２０９、コモン信号生成回路２０６とコモンスイッチ回路２０８の間に配設されたコモン切替回路２１０を備えている。コモン切替回路２１０は、コモン端子分割数を切り替えるためにコモン信号切替制御回路２０９によって切り替えられる複数のコモン切替スイッチ２１３を有している。
詳細は後述するが、コモン信号切替制御回路２０９及びコモン切替回路２１０によって、コモン端子分割数を可変にする構成が本実施形態の特徴であり、その他の構成は公知のものである。
【００２０】
尚、制御回路１０８、ＬＣＤバイアス電圧生成回路２０１、コモン信号生成回路２０６、コモン信号出力制御回路２０７、コモンスイッチ回路２０８、コモン信号切替制御回路２０９、コモン切替回路２１０は第１駆動手段を構成している。制御回路１０８、コモン信号切替制御回路２０９、コモン切替回路２１０は切替手段を構成している。また、ＬＣＤバイアス電圧生成回路２０１、表示データラッチ回路２０２、セグメント信号生成回路２０３、セグメント信号出力制御回路２０４、セグメントスイッチ回路２０５は第２駆動手段を構成している。
【００２１】
図３〜図５は、表示部１１０の表示態様を示す説明図である。
図３〜図５において、表示部１１０は、奥側に配設した時刻表時用ＬＣＤと前面側に配設した方位表示用のＬＣＤを２層に重ねた構成である。表示ブロック１１１は電池残量を表す電池マークを表示し、表示ブロック１１２は時刻類を表示し、表示ブロック１１３は方位を示すように構成されている。
図３では、電圧検出回路１０７が電池１０６の電圧を検出し、前記電圧が所定値以上の場合に表示ブロック１１１の電池マークを点灯させることによって、電池１０６の残量が十分であることを表示している。また、これにあわせて表示ブロック１１２を点灯させて時刻を表示している。表示ブロック１１３は駆動していない（非駆動）。
【００２２】
図４では、表示ブロック１１２を点灯させて方位（３時方向が北、１２時方向が西（Ｗ））を表示し又、表示ブロック１１１及び表示ブロック１１３も点灯させて時刻や電池マークを表示している。
図５は、パワーセーブ表示の状態であり、この状態では、表示ブロック１１１の電池マークのみを所定周波数（例えば２Ｈｚ）で点滅表示し、表示ブロック１１２、１１３は非駆動の状態である。
図３〜図５の表示駆動態様をまとめると、図７の表のようになる。
【００２３】
複数のコモン端子ＣＯＭを複数のブロック（コモン端子ブロック）に分割して駆動する場合、コモン信号切替制御回路２０９によって図６に示す切替制御が行われる。
図６は、コモン信号切替制御回路２０９によるコモン信号の接続状態を示す表であり、複数のコモン端子ＣＯＭを３つのコモン端子ブロックに分割して駆動する場合、２つのコモン端子ブロックに分割して駆動する場合及び分割せずに駆動する場合、の３つの分割パターンの例を示している。
【００２４】
コモン端子ＣＯＭ０〜ＣＯＭ１５を３つのコモン端子ブロックに分割する場合、コモン端子ＣＯＭ０〜ＣＯＭ１５を３つの表示ブロック（コモン端子ＣＯＭ０〜ＣＯＭ４、コモン端子ＣＯＭ５〜ＣＯＭ９、コモン端子ＣＯＭ１０〜ＣＯＭ１５）に分割し、コモン信号切替制御回路２１０がコモン切替回路２１０の各コモン切替スイッチ２１３を切替制御することにより、コモン信号生成回路２０６の出力端子Ｃ０〜Ｃ１５を、各コモン端子ブロックの対応するコモン端子（（コモン端子ＣＯＭ０、ＣＯＭ５、ＣＯＭ１０）、（コモン端子ＣＯＭ１、ＣＯＭ６、ＣＯＭ１１）、・・・（コモン端子ＣＯＭ４、ＣＯＭ９、ＣＯＭ１４））、コモン端子ＣＯＭ１５）に割り当てる。
【００２５】
コモン端子ＣＯＭを２つのコモン端子ブロックに分割する場合には、コモン端子ＣＯＭ０〜ＣＯＭ１５を２つのコモン端子ブロック（コモン端子ＣＯＭ０〜ＣＯＭ７、コモン端子ＣＯＭ８〜ＣＯＭ１５）に分割し、コモン信号切替制御回路２０９がコモン切替回路２１０の各コモン切替スイッチ２１３を切替制御することにより、コモン信号生成回路２０６の出力端子Ｃ０〜Ｃ７を、各コモン端子ブロックの対応するコモン端子（（コモン端子ＣＯＭ０、ＣＯＭ８）、（コモン端子ＣＯＭ１、ＣＯＭ９）、・・・（コモン端子ＣＯＭ７、ＣＯＭ１５））に割り当てる。
また、コモン端子ＣＯＭを複数のコモン端子ブロックに分割しない場合には、コモン信号切替制御回路２０９がコモン切替回路２１０の各コモン切替スイッチ２１３を切替制御することにより、コモン信号生成回路２０６の出力端子Ｃ０〜Ｃ１５を各コモン端子ＣＯＭ０〜ＣＯＭ１５に割り当てる。
【００２６】
図８は、セグメント端子ＳＥＧ、コモン端子ＣＯＭ及び表示ブロックとの関係を示す図で、複数のセグメント端子ＳＥＧ００〜ＳＥＧ６３を複数のブロック（セグメント端子ブロック）に分割することによって複数の表示要素１１４を複数（図８では３つ）の表示ブロック８０１、８０２、８０３に分割している。また、コモン信号切替制御回路２０９が制御回路１０８からの分割指示に応答して、コモン切替回路２１０の各コモン切替スイッチ２１３を切替制御することによって、コモン端子ＣＯＭ０〜ＣＯＭ１５を複数（図８では２つ）のコモン端子ブロックに分割している。
【００２７】
セグメント端子ＳＥＧ００、ＳＥＧ０１及びコモン端子ＣＯＭ０はマーク類表示ブロック１１１の表示要素１１４に接続され、セグメント端子ＳＥＧ０２〜ＳＥＧ５１及びコモン端子ＣＯＭ１〜ＣＯＭ７は時刻類表示ブロック１１２の表示要素１１４に接続され、セグメント端子ＳＥＧ５２〜ＳＥＧ６３及びコモン端子ＣＯＭ８〜ＣＯＭ１２は方位表示ブロック８０３の表示要素１１４に接続されている。コモン端子ＣＯＭ１３〜ＣＯＭ１５は表示要素１１４に接続されておらず、オープン状態である。
【００２８】
コモン信号出力制御回路２０７は、コモン切替回路２１０を介して供給されるコモン信号生成回路２０６からのコモン信号を、コモンスイッチ回路２０８を介してコモン端子ＣＯＭ０〜ＣＯＭ１５に供給する。このとき、コモン端子ＣＯＭ０〜ＣＯＭ１５は、コモン端子ＣＯＭ０〜ＣＯＭ７とコモン端子ＣＯＭ８〜ＣＯＭ１５の２つのコモン端子ブロックに分割して駆動される（図６の「２分割」参照）。これにより、コモン端子ＣＯＭ０〜ＣＯＭ７に接続された表示ブロック１１３、１１２は１／８デューティ比で駆動される。また、コモン端子ＣＯＭ８〜ＣＯＭ１２に接続された表示ブロック１１１も１／８デューティ比で駆動されることになる。
【００２９】
このように、コモン端子ブロックに含まれるコモン端子ＣＯＭの数を表示仕様等によって変更可能に構成することによって表示画素１１４を駆動するデューティ比を可変とし、各コモン端子ブロックに対応する表示ブロックの輝度等を種々に変更することが可能になる。また、デューティ比を大きくする、換言すれば走査周波数を低くすることによって低い周波数回路を使用することが可能になるため、より低消費化が可能になる。
【００３０】
尚、コモン端子ＣＯＭの分割数の設定は、製造時に設定するようにしてもよい。この場合、制御部１０８に分割数を設定し、制御回路１０８が前記分割数に応じてコモン切替制御回路２０９を制御する。また、ユーザが入力手段１０３によって輝度あるいは分割数を設定するように構成してもよい。この場合、制御回路１０８は、入力手段１０３によって指定された輝度あるいは分割数に応じて、コモン切替制御回路２０９を制御することになる。
【００３１】
図７の方位表示モードの場合には図８（ａ）に示すように、全ての表示ブロック８０１〜８０３が表示駆動され、各表示ブロック８０１〜８０３の表示が行われる。各表示ブロック８０１〜８０３の表示要素１１４が表示駆動されていることはハッチングによって示されている。
この場合、コモン端子ＣＯＭ０〜ＣＯＭ７、コモン端子ＣＯＭ８〜ＣＯＭ１２が各々１／８デューティ比で動作状態（点灯状態）に駆動される。各セグメント端子ＳＥＧ００〜ＳＥＧ６３は表示信号に応じて動作状態（点灯状態）に駆動されるが、セグメント端子ＳＥＧ００〜ＳＥＧ５１はコモン端子ＣＯＭ０〜ＣＯＭ７と同期して駆動され、セグメント端子ＳＥＧ５２〜ＳＥＧ６３はコモン端子ＣＯＭ８〜ＣＯＭ１２と同期して駆動される。
その一方、表示要素１１４に接続されていない全てのコモン端子ＣＯＭ１３〜ＣＯＭ１５は１／８デューティ比で接地電位（Ｖｓｓ）（オフ状態）に駆動される。これにより、各表示ブロック８０１〜８０３は１／８デューティ比で表示駆動される。
【００３２】
図７の時計表示モードの場合には図８（ｂ）に示すように、表示ブロック８０２、８０１が１／８デューティ比で表示駆動され、時刻類と電池マークが表示される。
この場合、コモン端子ＣＯＭ０〜ＣＯＭ７が１／８デューティ比で動作状態（点灯状態）に駆動される。各セグメント端子ＳＥＧ００〜ＳＥＧ５１は表示信号に応じて、コモン端子ＣＯＭ０〜ＣＯＭ７と同期して動作状態（点灯状態）に駆動される。
【００３３】
その一方、表示ブロック１１３の表示要素１１４に接続されているセグメント端子ＳＥＧ５２〜ＳＥＧ６３及びコモン端子ＣＯＭ８〜ＣＯＭ１２は接地電位（Ｖｓｓ）（オフ状態）に駆動される。これにより、表示ブロック８０２、８０１（時刻類、電池マーク）は表示されるが、表示ブロック１１３（方位）は消灯される。表示ブロック１１３の表示要素１１４が表示駆動されていないことは、破線白抜きによって示されている。
【００３４】
このように、表示しない（消灯する）表示ブロックに接続されているセグメント端子ＳＥＧ及びコモン端子ＣＯＭには、消灯信号を供給せずに接地電位Ｖｓｓ（オフ状態）にされる。したがって、従来は非表示の表示ブロックには消灯信号を供給していたため消灯状態でも一定の電力を消費していたが、本実施形態では、表示しない表示ブロックでは電力が消費されないため、省電力化が可能になる。
【００３５】
図７のパワーセーブモードの場合には図８（ｃ）に示すように、表示ブロック８０１のみが１／８デューティ比で表示駆動され、表示ブロック８０１（電池マーク）のみの点滅表示が行われる。
この場合、コモン端子ＣＯＭ０が１／８デューティ比で動作状態（点灯状態）に駆動されると共に、セグメント端子ＳＥＧ００、ＳＥＧ０１が表示信号に応じて、コモン端子ＣＯＭ０と同期して動作状態（点灯状態）に駆動される。
【００３６】
その一方、表示ブロック８０２、８０３の表示要素１１４に接続されているセグメント端子ＳＥＧ０２〜ＳＥＧ６３及びコモン端子ＣＯＭ１〜ＣＯＭ１２は接地電位（Ｖｓｓ）（オフ状態）に駆動される。
このように、図８（ｂ）と同様に、表示しない（消灯する）表示ブロックに接続されているセグメント端子ＳＥＧ及びコモン端子ＣＯＭには、消灯信号を供給せずに接地電位Ｖｓｓ（オフ状態）に駆動される。したがって、本実施形態では、表示しない表示ブロックでは電力が消費されず、省電力化が可能になる。
【００３７】
図９は、コモン端子ＣＯＭを図８とは異なる態様で分割する例である。
図９において、複数のセグメント端子ブロック（図９では３つ）に分割することによって複数（図９では３つ）の表示ブロック９０１〜９０３を構成し又、コモン信号切替制御回路２０９が制御回路１０８からの分割指示に応答してコモン切替回路２１０の各コモン切替スイッチ２１３を切替制御することによって、コモン端子ＣＯＭ０〜ＣＯＭ１５を複数（図９では３つ）のコモン端子ブロックに分割している。
【００３８】
セグメント端子ＳＥＧ００〜ＳＥＧ４７及びコモン端子ＣＯＭ０〜ＣＯＭ４は時刻類表示ブロック９０３の表示要素１１４に接続され、セグメント端子ＳＥＧ４８、ＳＥＧ４９及びコモン端子ＣＯＭ６はマーク類表示ブロック９０２の表示要素１１４に接続され、セグメント端子ＳＥＧ５２〜ＳＥＧ６３及びコモン端子ＣＯＭ１１〜ＣＯＭ１５は方位表示ブロック９０１の表示要素１１４に接続されている。セグメント端子ＳＥＧ５０、ＳＥＧ５１及びコモン端子ＣＯＭ５、ＣＯＭ７〜ＣＯＭ１０は表示要素１１４に接続されておらず、オープン状態である。
【００３９】
コモン信号出力制御回路２０７は、コモン切替回路２１０を介して供給されるコモン信号生成回路２０６からのコモン信号を、コモンスイッチ回路２０８を介してコモン端子ＣＯＭ０〜ＣＯＭ１５に供給する。このとき、コモン端子ＣＯＭ０〜ＣＯＭ１５は、コモン端子ＣＯＭ０〜ＣＯＭ４、コモン端子ＣＯＭ５〜ＣＯＭ９、コモン端子ＣＯＭ１０〜ＣＯＭ１５の３つのコモン端子ブロックに分割して駆動される（図６の「３分割」参照）。これにより、コモン端子ＣＯＭ０〜ＣＯＭ４、コモン端子ＣＯＭ６、コモン端子ＣＯＭ１１〜ＣＯＭ１５は各々１／５デューティ比で駆動され、表示ブロック９０１〜９０３は１／５デューティ比で表示駆動されることになる。
このように、コモン端子ブロックに含まれるコモン端子ＣＯＭの数を表示仕様等によって変更可能に構成することによって表示画素１１４を駆動するデューティ比を可変とし、各コモン端子ブロックに対応する表示ブロックの輝度等を種々に変更することが可能になる。
【００４０】
図９（ａ）の方位表示モードの場合には、全ての表示ブロック９０１〜９０３が表示駆動され表示が行われる。
この場合、コモン端子ＣＯＭ０〜ＣＯＭ４、コモン端子ＣＯＭ６、コモン端子ＣＯＭ１１〜ＣＯＭ１５が１／５デューティ比で動作状態に駆動される。各セグメント端子ＳＥＧ００〜ＳＥＧ６３は表示信号に応じて動作状態に駆動されるが、セグメント端子ＳＥＧ００〜ＳＥＧ４７はコモン端子ＣＯＭ０〜ＣＯＭ４と同期して駆動され、セグメント端子ＳＥＧ４８、４９はコモン端子ＣＯＭ６と同期して駆動され、又、セグメント端子ＳＥＧ５２〜ＳＥＧ６３はコモン端子ＣＯＭ１１〜ＣＯＭ１５と同期して駆動される。
【００４１】
その一方、表示要素１１４に接続されていない全てのコモン端子ＣＯＭ５、ＣＯＭ７〜ＣＯＭ１０は１／５デューティ比で接地電位（Ｖｓｓ）（オフ状態）に駆動される。これにより、各表示ブロック９０１〜９０３は１／５デューティ比で表示駆動される。また、表示要素１１４に接続されていない全てのセグメント端子ＳＥＧも接地電位（Ｖｓｓ）に駆動される。
図９（ｂ）の時計表示モードの場合には、表示ブロック９０２、９０３が１／５デューティ比で表示駆動され、表示ブロック９０２、９０３の表示が行われる。
【００４２】
この場合、コモン端子ＣＯＭ０〜ＣＯＭ４、コモン端子ＣＯＭ６が１／５デューティ比で動作状態に駆動され、これに同期して、セグメント端子ＳＥＧ００〜ＳＥＧ４９が表示信号に応じて動作状態に駆動される。
その一方、表示要素１１４に接続されていない全てのコモン端子ＣＯＭ５、ＣＯＭ７〜ＣＯＭ１０は１／５デューティ比で接地電位（Ｖｓｓ）（オフ状態）に駆動される。また、セグメント端子ＳＥＧも接地電位（Ｖｓｓ）に駆動される。また、セグメント端子ＳＥＧ５０〜Ｇ６３も接地電位（Ｖｓｓ）に駆動される。
これにより、各表示ブロック９０２、９０３は１／５デューティ比で表示駆動されるが、表示ブロック９０１は消灯される。
【００４３】
図９（ｃ）のパワーセーブモードの場合には、表示ブロック９０２のみが１／５デューティ比で表示駆動され、表示ブロック９０２のみの点滅表示が行われる。
このように、図８（ｂ）と同様に、表示しない（消灯する）表示ブロックに接続されているセグメント端子ＳＥＧ及びコモン端子ＣＯＭには、消灯信号を供給せずに接地電位Ｖｓｓ（オフ状態）に駆動される。したがって、本実施形態では、表示しない表示ブロックでは電力が消費されず、省電力化が可能になる。
【００４４】
図１０は、更に分割態様が異なる例である。
図１０において、複数のセグメント端子ブロック（図１０では２つ）に分割することによって複数（図１０では２つ）の表示ブロック１００１、１００２を構成するが、コモン端子ＣＯＭ０〜ＣＯＭ１５を分割しない例である。
セグメント端子ＳＥＧ００、ＳＥＧ０１及びコモン端子ＣＯＭ０はマーク類表示ブロック１００２の表示要素１１４に接続され、セグメント端子ＳＥＧ０２〜ＳＥＧ４０及びコモン端子ＣＯＭ１〜ＣＯＭ１５は時刻類表示ブロック１００１の表示要素１１４に接続されている。セグメント端子ＳＥＧ４１〜ＳＥＧ６３は表示要素１１４に接続されておらず、オープン状態である。
【００４５】
コモン信号出力制御回路２０７は、コモン切替回路２１０を介して供給されるコモン信号生成回路２０６からのコモン信号を、コモンスイッチ回路２０８を介してコモン端子ＣＯＭ０〜ＣＯＭ１５に供給する。このとき、コモン端子ＣＯＭ０〜ＣＯＭ１５は複数のコモン端子ブロックに分割されずに駆動される（図６の「分割無」参照）。これにより、コモン端子ＣＯＭ０〜ＣＯＭ１５は各々１／１６デューティ比で駆動され、表示ブロック１００１、１００２の各表示要素１１４は１／１６デューティ比で表示駆動されることになる。
このように、コモン端子ブロックに含まれるコモン端子ＣＯＭの数を表示仕様等によって変更可能に構成することによって表示画素１１４を駆動するデューティ比を可変とし、各コモン端子ブロックに対応する表示ブロックの輝度等を種々に変更することが可能になる。
【００４６】
図１０（ａ）の時刻類表示モードの場合には、全ての表示ブロック１００１、１００２が表示駆動され表示が行われる。この場合、各セグメント端子ＳＥＧ００〜ＳＥＧ４０は表示信号に応じて動作状態に駆動されると共に、コモン端子ＣＯＭ０〜ＣＯＭ１５が１／１６デューティ比で動作状態に駆動される。その一方、表示要素１１４に接続されていないセグメント端子ＳＥＧ４１〜ＳＥＧ６３で接地電位（Ｖｓｓ）（オフ状態）に駆動される。
これにより、各表示ブロック１００１、１００２の各表示要素１１４は１／１６デューティ比で表示駆動される。
【００４７】
図１０（ｂ）のパワーセーブモードの場合には、表示ブロック１００２のみが１／１６デューティ比で表示駆動され、表示ブロック１００１の表示要素１１４に接続されたセグメント端子ＳＥＧ０２〜ＳＥＧ４０及びコモン端子ＣＯＭ１〜ＣＯＭ１５は接地電位（Ｖｓｓ）（オフ状態）に駆動される。また、表示要素１１４に接続されていないセグメント端子ＳＥＧ４１〜ＳＥＧ６３も接地電位（Ｖｓｓ）（オフ状態）に駆動される。これにより、表示ブロック１００２の電池マークのみが点滅表示される。
このように、図１０の例でも、図９（ｂ）と同様に、表示しない（消灯する）表示ブロックに接続されているセグメント端子ＳＥＧ及びコモン端子ＣＯＭには、消灯信号を供給せずに接地電位Ｖｓｓ（オフ状態）に駆動される。したがって、本実施形態では、表示しない表示ブロックでは電力が消費されず、省電力化が可能になる。
【００４８】
以上述べたように、本実施形態に係る表示装置は、複数の表示要素１１４に接続された複数のコモン端子ＣＯＭ及び複数のセグメント端子ＳＥＧと、コモン端子ＣＯＭを駆動する第１駆動手段と、表示信号に基づいてセグメント端子ＳＥＧを駆動する第２駆動手段とを有し、前記第１駆動手段によって所定周期の走査信号で前記複数のコモン端子ＣＯＭを駆動すると共に前記第２駆動手段によって表示信号に対応し前記走査信号に同期するセグメント信号で前記複数のセグメント端子ＳＥＧを駆動することにより、表示要素１１４で前記表示信号に対応する表示を行う表示装置において、各コモン端子ＣＯＭと各セグメント端子ＳＥＧは各々独立に駆動可能であり、前記第１駆動手段は、複数のコモン端子ＣＯＭを複数のコモン端子ブロックに分割して駆動すると共に当該分割数が可変であることを特徴としている。
【００４９】
ここで、前記第１駆動手段が複数のコモン端子ＣＯＭを所定数のコモン端子ブロックに分割して駆動するように切り替える切替手段を備えて成るように構成することができる。
また、前記第１、第２駆動手段は、表示要素１１４が点灯状態又はオフ状態をとるように駆動するように構成できる。
ここで、前記電子機器は、時間を計時する計時手段を有する電子時計であり、前記表示手段は、少なくとも前記計時手段で計時した時刻を表示するように構成することができる。
【００５０】
したがって、本実施形態に係る表示装置によれば、消費電力を抑制すると共に複数の異なる仕様の表示に対応することが可能になる。
また、表示要素１１４を点灯状態又はオフ状態をとるように駆動しており、表示しない表示要素１１４には消灯信号を供給しないため、不要な電力消費を削減することが可能になる。
また、液晶表示装置のコモン端子ＣＯＭの構成を複数種類の中から選択可能とすることにより、１つのＬＳＩで、表示仕様が異なる機種に対応することが可能となる。
また、分割数を変えてデューティ比を変えることにより、仕様に応じて消費電力を変えることが可能になる。例えば、製品仕様に応じて、コモン端子ＣＯＭの分割数を増やすことにより、駆動周波数を下げて、低消費化が可能になる。
【００５１】
（第２の実施形態）
以下、図面を用いて本発明の第２の実施形態に係る表示装置及び前記表示装置を用いた電子機器について説明する。図１１は、ＬＣＤ１１０と、マイコンに内蔵される表示駆動回路１０９ａ（回路基板）との関係を示す図である。この例では、８個のコモン端子ＣＯＭ及び６４個のセグメント端子ＳＥＧを持つ表示駆動回路１０９ａと、ＬＣＤとの接続を示している。
表示駆動回路１０９ａには、１辺（Ｐ１）にコモン端子ＣＯＭ８〜１５及びセグメント端子ＳＥＧ３２〜６３が設けられている。表示駆動回路１０９ａには、それと対向する他の一辺(Ｐ２)にコモン端子ＣＯＭ０〜７及びセグメント端子ＳＥＧ０〜３１が設けられている。
表示部１１０ａには、符号１１０１ａを付した表示ブロックがその上部に設けられ、表示ブロックの上端部Ｅ１において配線される。符号１１０１ｂを付した表示ブロックがその下部に設けられ、表示ブロックの下端部Ｅ２において配線される。
図１１において、１辺Ｐ１にあるコモン端子ＣＯＭ１２〜１５及びセグメント端子ＳＥＧ３２〜６３は、表示部１１０ａの上端部Ｅ１を介して表示部１１０ａの上部にある表示ブロック１１０１ａに接続されている。１辺Ｐ２にあるコモン端子ＣＯＭ０〜３及びセグメント端子ＳＥＧ０〜３１は、表示部１１０ａの下端部Ｅ２を介して表示部１１０ａの下部にある表示ブロック１１０１ａに接続されている。
つまり、セグメント端子０〜３１に繋がれた配線とセグメント端子３２〜６３に繋がれた配線とは、表示部１１０上で互いに接続されていない。
【００５２】
図１２は、本実施形態に係る電子時計の配線を説明するための説明図である。符号１２Ａを付した図は、基板１２０１及びＬＣＤの左側面図であり、符号１２Ｂを付した図は、ＬＣＤを取り外した状態の基板１２０１の正面図である。基板１２０１には、その４隅にスイッチ１０３が設けられている。
基板１２０１上には、表示駆動回路１０９ａ、発振回路１０１、分周回路１０２、ＲＯＭ１０４、ＲＡＭ１０５を内蔵したマイコン１１００が設けられている。基板１２０１上には、マイコン１１００に内蔵の表示駆動回路１０９ａとＬＣＤ１１０とを結ぶ配線、マイコン１１００に内蔵の制御回路１０８と入力手段１０３とを結ぶ配線、基板１２０１上にマイコン１１００に内蔵の発振回路１０１と水晶振動子１２０４とを結ぶ配線、マイコン１１００とＥＬドライバ（バックライトドライバ）１２０５とを結ぶ配線が設けられている。基板１２０１上には、入力手段１０３がサイドスルーホールで形成されている。
【００５３】
表示駆動回路１０９ａの上辺Ｐ１にあるコモン端子ＣＯＭ１２〜１５及びセグメント端子ＳＥＧ３２〜６３は、ゼブラコネクタ１２０２及びＩＴＯ（透明電極）１２０３を介してＬＣＤの上端部Ｅ１にある端子に接続される。また、表示駆動回路１０９ａの下辺Ｐ２にあるコモン端子ＣＯＭ０〜７及びセグメント端子ＳＥＧ０〜３１は、ゼブラコネクタ１２０２及びＩＴＯ１２０３を介してＬＣＤの下端部Ｅ２にある端子に接続される。尚、コモン端子ＣＯＭ（ｉ）及びＣＯＭ（ｉ+８）（ｉ＝０〜７）は、同一の信号を出力することができると共に、コモン端子ＣＯＭ０〜７及びＣＯＭ８〜１５は、それぞれ独立に動作状態に駆動もしくは接地電位Ｖｓｓ（オフ状態）とすることも可能である。
【００５４】
図１１に示したように、表示駆動回路１０９ａから、ゼブラコネクタ１２０２及びＩＴＯ１２０３を介してＬＣＤへ接続される配線は、基板上において表示駆動回路１０９ａと入力手段１０３を結ぶ配線と交差しないように接続される。表示駆動回路１０９ａから、ゼブラコネクタ１２０２及びＩＴＯ１２０３を介してＬＣＤへ接続される配線は、またＲＯＭ１０４、ＲＡＭ１０５、電圧検出回路１０７との間を接続する配線とも交差しないように接続される。
【００５５】
図１３は、本実施形態に係るＬＣＤの一例を示した図である。ＬＣＤの上部の表示は、ＬＣＤの上端部Ｅ１にある端子からゼブラコネクタ１２０２を介して図１２（ｂ）に示すように表示駆動回路１０９ａの上部Ｐ１にある端子に接続される。一方、ＬＣＤの下部の表示は、ＬＣＤの下端部Ｅ２にある電極からゼブラコネクタ１２０２を介して表示駆動回路１０９ａの下部Ｐ２に接続される。
【００５６】
上述したように、表示部１１０ａは、その上部１１０１ａと下部１１０１ｂの２つの表示ブロックがそれぞれ別のＣＯＭ０〜７及びＣＯＭ８〜１５と接続しているため、コモン端子ＣＯＭ０〜７及びＣＯＭ８〜１５は、それぞれ独立に動作状態に駆動もしくは接地電位Ｖｓｓ（オフ状態）とすることも可能である。つまり、上部１１０１ａと下部１１０１ｂを独立に駆動又は非駆動とすることが可能である。
【００５７】
以上述べたように、本実施形態に係る表示装置によれば、コモン端子ＣＯＭを駆動する第１駆動手段と、セグメント端子ＳＥＧを駆動する第２駆動手段を備える表示駆動回路１０９ａを備え、コモン端子ＣＯＭ０〜７及びセグメント端子ＳＥＧ０〜３１が表示駆動回路１０９ａの一辺に、コモン端子ＣＯＭ８〜１５及びセグメント端子ＳＥＧ３２〜６３が表示駆動回路１０９ａの対向する他の一辺に設けられている。また、表示駆動回路１０９ａの一辺とＬＣＤとを繋ぐ配線は、入力手段１０３と表示駆動回路１０９ａとを繋ぐ配線と交差しないことを特徴としている。
したがって、本実施形態に係る表示装置によれば、基板１２０１の積層面の数を減らすことができる。また、ＬＣＤの上部１１０１ａ、下部１１０１ｂを必要に応じて非表示（オフ状態）とすることができる。表示を行わない部分では、コモン端子ＣＯＭを接地電位（Ｖｓｓ）（オフ状態）とすることができ、消灯信号を供給する必要が無い。したがって、省電力化が可能になる。
尚、本実施形態ではコモン端子ＣＯＭを表示駆動回路１０９ａの２辺に設けた例を示したが、コモン端子ＣＯＭを３辺以上に設けてもよい。また、コモン端子ＣＯＭの数は各辺で等しい必要は無く、一方の辺では１つ、他方の辺では７つなどとしてもよい。
【００５８】
（第３の実施形態）
以下、図面を用いて本発明の第３の実施形態に係る表示装置及び前記表示装置を用いた電子機器について説明する。
図１４は、本発明の第３の実施形態に係る表示装置を備えた電子時計の表示の一例を示す図である。制御回路１０８は、電圧検出回路１０７が検出した電池１０６の電圧が所定値以上である場合には、マーク類表示ブロック１１１の電池マークを点灯させ、電池１０６が十分電力を供給できる状態であることを示す。制御回路１０８は、電池の電圧が低下し、電圧検出回路１０７が検出した電池１０６の電圧が所定値を下回った場合には、パワーセーブ表示に切り替える。この状態では、制御回路１０８は、マーク類表示ブロック１１１の電池マークのみを所定周波数（例えば２Ｈｚ）で点滅表示し、表示ブロック１１２、１１３は非駆動とする。
【００５９】
図１５は、セグメント端子ＳＥＧ、及びコモン端子ＣＯＭからマーク類表示ブロック１１１への配線の例を示す図である。符号１５ａを付した図に示した例では、マーク類表示ブロック１１１の５つの表示要素１１４は、１つのコモン端子ＣＯＭ１２と５つのセグメント端子ＳＥＧ５９〜６３とによって制御される。
一方、符号１５ｂを付した図に示した例では、マーク類表示ブロック１１１の５つの表示要素１１４は、５つのコモン端子ＣＯＭ８〜１２と１つのセグメント端子ＳＥＧ６３とによって制御される。
【００６０】
ここで、時刻類表示ブロック１１２及びマーク類表示ブロック１１１の表示要素の数について検討する。符号１５ａを付した図に示した例では、時刻類表示ブロック１１２の表示に、セグメント端子ＳＥＧはＳＥＧ０〜ＳＥＧ５８までの５９個、コモン端子ＣＯＭはＣＯＭ０〜４の５個を使用できる。したがって、表示要素１１４の数は（時刻）表示ブロック１１２について５９×５＝２９５、マーク類表示ブロック１１１について５であり、合計３００の表示要素１１４を表示する。
一方、符号１５ｂを付した図に示した例では、時刻類表示ブロック１１２の表示に、セグメント端子ＳＥＧはＳＥＧ０〜ＳＥＧ６２までの６３個、コモン端子ＣＯＭはＣＯＭ０〜４の５個を使用できる。したがって、表示要素１１４の数は時刻類表示ブロック１１２について６３×５＝３１５、マーク類表示ブロック１１１について５であり、合計３２０の表示要素を表示する。
【００６１】
以上述べたように、本実施形態に係る表示装置は、マーク類表示ブロックが１つのセグメント端子ＳＥＧ６３によって駆動されていることを特徴としている。
したがって、本実施形態に係る表示装置によれば、マーク類表示ブロック１１１の表示要素の数を保ったまま、時刻類表示ブロック１１２の表示要素１１４の数を最大にすることができる。
尚、マーク類表示ブロック１１１には、電池の電圧の他にも、充電が必要なこと、パワーセーブモードであること等を示す情報を表示してもよい。
【００６２】
（第４の実施形態）
以下、図面を用いて本発明の第４の実施形態に係る表示装置及び前記表示装置を用いた電子機器について説明する。
図１６は、本実施形態に係るＬＣＤの一例を示す図である。本実施形態では、表示ブロック１６０１、１６０２、１６０３の各々に対してブロック化したコモン端子ＣＯＭを用いるのではなく、コモン端子ＣＯＭ０〜７を各ブロックで共用する。また、コモン端子ＣＯＭ０の表示ブロック１６０１、１６０２間にコモン遮断スイッチ１６１０、及び、コモン端子ＣＯＭ０〜ＣＯＭ７の表示ブロック１６０２、１６０３間に８回路のコモン遮断スイッチ１６１１を新たに設けている。
【００６３】
図１７は、コモン遮断スイッチ１６１０、１６１１、コモン端子ＣＯＭ０〜７の状態の組み合わせと、表示ブロックの駆動状態を表す図である。コモン遮断スイッチ１６１０を断とし、コモン端子ＣＯＭ０を動作、ＣＯＭ１〜７をＶＳＳとした場合、表示ブロック１６０１のみが駆動される。コモン遮断スイッチ１６１０を通、コモン遮断スイッチ１６１１を断とし、コモン端子ＣＯＭ０〜７を動作とした場合、表示ブロック１６０１、１６０２が駆動される。コモン遮断スイッチ１６１０を通、コモン遮断スイッチ１６１１を通とし、コモン端子ＣＯＭ０〜７を動作とした場合、表示ブロック１６０１、１６０２、１６０３が駆動される。
【００６４】
以上述べたように、本実施形態に係る表示装置は、コモン端子ブロック間の接続を遮断するコモン遮断スイッチ１６１０、１６１１を備えることを特徴としている。
したがって、本実施形態に係る表示装置によれば、コモン遮断スイッチ１６１０、１６１１とコモン端子ＣＯＭ０〜７を制御することにより、コモン信号をブロック化しなくてもブロック毎に駆動、非駆動を選択できる。したがって、表示の必要が無いブロックに消灯信号を出力する必要が無く、省電力化ができる。
尚、コモン遮断スイッチ１６１０、１６１１は、制御回路１０８から出力される制御される制御信号によって動作する。コモン遮断スイッチ１６１０、１６１１は、具体的には、トランジスタスイッチ、ＦＥＴスイッチ、リレーなどを用いることができる。
【００６５】
尚、各実施形態は、電子時計の例で説明したが、歩数計や携帯電話等、表示装置を有する各種の電子機器に適用可能である。また、各種の電子機器用の表示装置に適用可能である。
尚、各実施形態においては、方形の表示要素１１４を用いて説明したが、表示要素の形は方形である必要は無く、任意の形とすることができる。
【産業上の利用可能性】
【００６６】
本発明は、電子時計、歩数計、携帯電話をはじめとする各種電子機器用の表示装置に適用でき又、表示装置を有する各種の電子機器に適用可能である。
【符号の説明】
【００６７】
１０１・・・発振回路
１０２・・・分周回路
１０３・・・入力手段
１０８・・・制御回路
１０４・・・ＲＯＭ
１０５・・・ＲＡＭ
１０６・・・電池
１０７・・・電圧検出回路
１０８・・・制御回路
１０９、１０９ａ・・・表示駆動回路
１１０・・・表示部
１１１〜１１３・・・表示ブロック
１１４・・・表示要素
２０１・・・ＬＣＤバイアス電圧生成回路
２０２・・・表示データラッチ回路
２０３・・・セグメント信号生成回路
２０４・・・セグメント信号出力制御回路
２０５・・・セグメントスイッチ回路
２０６・・・コモン信号生成回路
２０７・・・コモン信号出力制御回路
２０８・・・コモンスイッチ回路
２０９・・・コモン信号切替制御回路
２１０・・・コモン切替回路
２１１・・・セグメント駆動スイッチ
２１２・・・コモン駆動スイッチ
２１３・・・コモン切替スイッチ
８０１、８０２、８０３・・・表示ブロック
９０１、９０２、９０３・・・表示ブロック
１１００・・・マイコン
１００１、１００２、１００３・・・表示ブロック
１１０１ａ、１１０１ｂ・・・表示ブロック
１２０１・・・基板
１２０２・・・ゼブラコネクタ
１２０３・・・ＩＴＯ（透明電極）
１２０４・・・水晶振動子
１２０５・・・ＥＬドライバ
１６０１、１６０２、１６０３・・・表示ブロック
１６１０、１６１１・・・コモン遮断スイッチ
【図１】
0006005906.tif 000002
【図２】
0006005906.tif 000003
【図３】
0006005906.tif 000004
【図４】
0006005906.tif 000005
【図５】
0006005906.tif 000006
【図６】
0006005906.tif 000007
【図７】
0006005906.tif 000008
【図８】
0006005906.tif 000009
【図９】
0006005906.tif 000010
【図１０】
0006005906.tif 000011
【図１１】
0006005906.tif 000012
【図１２】
0006005906.tif 000013
【図１３】
0006005906.tif 000014
【図１４】
0006005906.tif 000015
【図１５】
0006005906.tif 000016
【図１６】
0006005906.tif 000017
【図１７】
0006005906.tif 000018
【図１８】
0006005906.tif 000019